(57)【要約】【課題】本発明の課題は、構造強度に優れるとともに従来よりも省エネルギ性能に優れた室外機を有する空気調和機を提供する。【解決手段】本発明の空気調和機は、内側空間５０を囲むようにベース部材上に立設される熱交換器３と、前記熱交換器３上に配置される送風機４と、を有し、前記熱交換器３は、半体３０ａ，３０ｂ同士が連結ピラー４０を介して接合されて形成され、前記送風機４は、前記内側空間５０内でベース部材上に立設される第１支柱としての電気箱支持フレーム２２と、第２支柱としての連結ピラー４０で支持されていることを特徴とする。【選択図】図４
2016180544.tif 000002
【特許請求の範囲】
【請求項１】
内側空間を囲むようにベース部材上に立設される熱交換器と、
前記熱交換器上で横並びに配置され、前記内側空間の空気を吹き上げる一対の送風機と、を有し、
前記熱交換器は、一対の前記送風機のそれぞれに対応するように配置される、互いに対称形状の一対の半体を有し、
前記半体は、上面視で前記送風機を中心にした周方向に第１熱交換部、第２熱交換部、第３熱交換部、及び第４熱交換部をこの順番で有し、
前記第１熱交換部と前記第３熱交換部とが対向するとともに、前記第２熱交換部と前記第４熱交換部とが対向し、
前記半体同士が前記第４熱交換部同士を介して接合された前記熱交換器を有する室外機を備え、
各半体の前記第１熱交換部の端部同士の間には、前記内側空間が臨む開口部が形成され、
前記開口部には、当該開口部を塞ぐパネルが配置され、
各半体の前記第１熱交換部の端部同士の間には、各端部に近接して一対の第１支柱を有し、
前記第４熱交換部同士は、第２支柱を挟んで互いに接合され、
前記第１支柱及び前記第２支柱は、前記ベース部材に下端部が接合され、上端部で前記送風機を支持している前記室外機を備えることを特徴とする空気調和機。
【請求項２】
請求項１に記載の空気調和機において、
一対の前記第１支柱同士の間には、前記内側空間に配置される機器収容箱が配置され、前記機器収容箱は、当該第１支柱に支持されていることを特徴とする空気調和機。
【請求項３】
請求項１に記載の空気調和機において、
前記ベース部材に下端部が接合され、上端部で前記送風機を支持している支持フレームを有し、
前記支持フレームは、前記熱交換器の外側で前記ベース部材の四隅に配置され、
前記支持フレームの横断面積は、前記第１支柱の横断面積よりも小さく設定されていることを特徴とする空気調和機。
【発明の詳細な説明】
【技術分野】
【０００１】
本発明は、空気調和機に関する。
【背景技術】
【０００２】
従来、空気調和機の室外機としては、四角形の底板及び天板と、底板の四角に立設されて底板上で天板を支持する支柱と、４つの支柱の内側で四面を形成するように配置される熱交換器と、を備えるものが知られている（例えば、特許文献１参照）。
この室外機は、熱交換器の上方に送風機を備え、この送風機が駆動することで熱交換器の内側空間の空気が上方に吹き出されるようになっている。熱交換器の内側空間の空気が上方に吹き出されると、熱交換器を介して外気が内側空間に取り入れられる。外気は、熱交換器を通過する際に冷媒と熱交換を行う。
【先行技術文献】
【特許文献】
【０００３】
【特許文献１】特開２０１３−７５５６号公報
【発明の概要】
【発明が解決しようとする課題】
【０００４】
ところで、従来の室外機（例えば、特許文献１参照）において、４つの支柱は送風機等の重量構造物の荷重を受ける。そのため４つの支柱は、室外機の構造強度を上げるために太く形成することが望まれる。しかしながら、熱交換器は、４つの支柱の内側に配置されるために、熱交換器を通過させる外気に対して通風抵抗を生じさせる。この通風抵抗は、室外機の省エネルギ性能を阻害する。
【０００５】
そこで、本発明の課題は、構造強度に優れるとともに従来よりも省エネルギ性能に優れた室外機を有する空気調和機を提供することにある。
【課題を解決するための手段】
【０００６】
前記課題を解決した本発明の空気調和機は、内側空間を囲むようにベース部材上に立設される熱交換器と、前記熱交換器上で横並びに配置され、前記内側空間の空気を吹き上げる一対の送風機と、を有し、前記熱交換器は、一対の前記送風機のそれぞれに対応するように配置される、互いに対称形状の一対の半体を有し、前記半体は、上面視で前記送風機を中心にした周方向に第１熱交換部、第２熱交換部、第３熱交換部、及び第４熱交換部をこの順番で有し、前記第１熱交換部と前記第３熱交換部とが対向するとともに、前記第２熱交換部と前記第４熱交換部とが対向し、前記半体同士が前記第４熱交換部同士を介して接合された前記熱交換器を有する室外機を備え、各半体の前記第１熱交換部の端部同士の間には、前記内側空間が臨む開口部が形成され、前記開口部には、当該開口部を塞ぐパネルが配置され、各半体の前記第１熱交換部の端部同士の間には、各端部に近接して一対の第１支柱を有し、前記第４熱交換部同士は、第２支柱を挟んで互いに接合され、前記第１支柱及び前記第２支柱は、前記ベース部材に下端部が接合され、上端部で前記送風機を支持している前記室外機を備えることを特徴とする。
【発明の効果】
【０００７】
本発明によれば、構造強度に優れるとともに従来よりも省エネルギ性能に優れた室外機を有する空気調和機を提供することができる。
【図面の簡単な説明】
【０００８】
【図１】本発明の実施形態に係る空気調和機の構成説明図である。
【図２】本発明の実施形態に係る空気調和機を構成する室外機の全体斜視図である。
【図３】室外機の内部構造を示す概略図である。
【図４】図３のIV−IV断面図である。
【図５】室外機を構成する室外熱交換器の全体斜視図である。
【図６】（ａ）は、連結ピラー（第２支柱）の上端部の部分斜視図であり、（ｂ）は、連結ピラー（第２支柱）の下端部の部分斜視図である。
【発明を実施するための形態】
【０００９】
次に、本発明を実施形態について適宜図面を参照しながら詳細に説明する。
本発明の空気調和機は、室外熱交換器の内側空間内で室外機の正面側に配置される一対の第１支柱（電気箱支持フレーム）と、室外機の背面側の中央に配置される第２支柱（連結ピラー）にて送風機をベース部材上に支持することを主な特徴点とする。これにより後記の４本の支持フレームを細くすることができるか、あるいはこれら支持フレームの全部又は一部を省略することもできる。
以下では、空気調和機の全体構成について説明した後にこの空気調和機を構成する室外機について説明する。
【００１０】
＜空気調和機の全体構成＞
図１は、本実施形態に係る空気調和機１００の構成説明図である。
図１に示すように、空気調和機１００は、室内機９１と室外機９０とを備えており、室内機９１と室外機９０とは配管１０を介して接続されている。ちなみに、本実施形態に係る空気調和機１００では、２つの室内機９１が配管１０で並列に接続されている。本実施形態に係る空気調和機１００では、２つの室内にそれぞれ個別に室内機９１が配置されることを想定しているが、これに限定されるものではない。室内機９１は、１つ又は３以上とすることができる。なお、室内機９１が３以上となる場合には、各室内機９１は、配管１０で並列に接続されることとなる。
【００１１】
室内機９１は、室内熱交換器７と室内膨張弁８と、を備えている。
室外機９０は、圧縮機１と、四方弁２と、室外膨張弁６と、室外熱交換器３と、アキュムレータ５とを備えている。
図１中、符号４は室外熱交換器３に外気を送り込む室外送風機であり、符号９は室内の空気を室内熱交換器７に送り込む室内送風機である。符号１５，１６は、配管１０を室外機９０に接続するための配管接続口である。
【００１２】
この空気調和機１００は、四方弁２を切り替えることで室内熱交換器７を蒸発器、室外熱交換器３を凝縮器として使用する冷房運転と、室内熱交換器７を凝縮器、室外熱交換器３を蒸発器として使用する暖房運転とを行うヒートポンプ式のものである。なお、図１に示す四方弁２の切り替え状態は、冷房運転時のものである。また、図１中、実線矢印Ｘは冷房運転時における冷媒の循環方向を示し、破線矢印Ｙは暖房運転時における冷媒の循環方向を示している。
【００１３】
例えば、冷房運転時の空気調和機１００においては、圧縮機１で圧縮された高温高圧の冷媒は、四方弁２を通過して室外熱交換器３に流入し、空気との熱交換により放熱して凝縮する。その後、冷媒は、配管接続口１５を介して配管１０に流れ込む。配管１０を介して各室内機９１へ流入した冷媒は、室内膨張弁８により等エンタルピ膨張し、低温低圧でガス冷媒と液冷媒とが混在した気液二相流となる。その後、冷媒は、室内熱交換器７へ流入する。
【００１４】
この際、室内膨張弁８は、室内熱交換器７に流れ込む冷媒の減圧量と流量を調整する。そして、室内熱交換器７での液冷媒は、空気からの吸熱作用によりガス冷媒に気化する。つまり、液冷媒が気化する際に室内熱交換器７が周囲の空気を冷却することで空気調和機１００は、冷房機能を発揮する。次いで、各室内熱交換器７を出た冷媒は、配管１０に流れ込む。その後、冷媒は、配管接続口１６及びアキュムレータ５を介して圧縮機１へ戻る。圧縮機１に戻った冷媒は、再び高温高圧に圧縮されると共に、四方弁２、室外熱交換器３、室内膨張弁８及び室内熱交換器７を循環する。つまり、この循環が繰り返されることで冷凍サイクルが構成される。
【００１５】
＜室外機＞
次に、室外機９０についてさらに詳しく説明する。
図２は、本実施形態に係る空気調和機１００を構成する室外機９０の全体斜視図である。なお、本実施形態での室外機９０における前後上下左右の方向は、この室外機９０を設置した際の図２に示す前後上下左右の方向を基準とする。以下では、第１支柱（電気箱支持フレーム２２（図４参照））及び第２支柱（連結ピラー４０（図４参照））を備えるほか、４本の支持フレーム１１（（図４参照））をも備える室外機９０について説明する。
【００１６】
図２に示すように、室外機９０は、略直方体の外形を呈している。
室外機９０は、平面視で矩形のベース部材１２と、ベース部材１２の四角のそれぞれに立設される４本の支持フレーム１１と、４本の支持フレーム１１の内側でベース部材１２上に配置される室外熱交換器３と、室外熱交換器３の上方に配置される室外送風機４と、を備えている。
【００１７】
支持フレーム１１は、断面視でＬ字状を呈しており（図５参照）、Ｌ字の外角部がベース部材１２の角部に対応するように配置されている。この支持フレーム１１は、後記する第１支柱としての電気箱支持フレーム２２（図４参照）及び第２支柱としての連結ピラー４０（図４参照）の横断面積よりも小さい。
室外熱交換器３は、図示しないが、上下方向に延在する細長の矩形板からなる放熱フィンが室外機９０の外周方向に積層されるように複数配置され、これら複数の放熱フィンを貫通して繋ぐように複数の伝熱管が設けられている。
【００１８】
このような室外熱交換器３は、略直方体の室外機９０における４つの側面に露出している。また、室外熱交換器３は、室外機９０の前面に配置されるパネル３１と協働して内側空間５０を有する略筒状体を形成している。
この室外熱交換器３については、後に詳しく説明する。
【００１９】
室外熱交換器３の上方には、室外送風機４が配置されている。
室外送風機４は、駆動することによって室外熱交換器３の内側に形成される内側空間５０から空気を室外機９０の外側に排出するように構成されている。つまり、駆動した室外送風機４は、室外機９０の４つの側面に露出する室外熱交換器３の放熱フィン（図示省略）間から外気を室外機９０内に吸い込んで、この吸い込んだ空気を室外機９０の外部に送り出すようになっている。
【００２０】
本実施形態の室外機９０は、２つの室外送風機４ａ，４ｂを備えている。これらの室外送風機４ａ，４ｂは、左右方向に並ぶように配置されている。なお、以下の説明において、２つの室外送風機４ａ，４ｂを特に区別しない場合には、単に室外送風機４と称する。
【００２１】
図３は、図２の室外機９０の内部構造を示す概略図である。
図３に示すように、室外送風機４は、プロペラファン４１と、このプロペラファン４１を回転させるモータ４２と、プロペラファン４１の周囲を覆うベルマウス４３と、を備えている。
【００２２】
室外送風機４ａ及び室外送風機４ｂのそれぞれのプロペラファン４１ａ及びプロペラファン４１ｂは、後記するように上面視で左回り（反時計回り）で回転するようになっている（図６参照）。このように回転するプロペラファン４１ａ及びプロペラファン４１ｂは、前記したように室外熱交換器３の内側に形成される内側空間５０から空気を室外機９０の外部に送り出すようになっている。
【００２３】
ベルマウス４３は、筒状体である。具体的には、ベルマウス４３は、前記の内側空間５０側の下部から上部に掛けて徐々に縮径する縮径部を有する略円筒形状に形成されている。
このベルマウス４３と室外熱交換器３との間に配置されることとなる天板１３には、図示しないが、ベルマウス４３の下部の内径に略等しい外径の円形開口が形成されている。この円形開口を介して、内側空間５０とベルマウス４３の内側とが連通している。
また、この円形開口の径方向には、図示しないモータ支持フレームが渡し架けられている。モータ４２は、このモータ支持フレーム（図示省略）に支持されている。
【００２４】
図３中、符号３３は、電気箱である。この電気箱３３には、この空気調和機１００を全般的に制御する制御装置が配置されている。この電気箱３３は、特許請求の範囲にいう「機器収容箱」に相当する。この電気箱３３は、天板１３寄りでパネル３１の後側に沿うように配置されている。つまり、電気箱３３は、パネル３１に近接した配置されている。
【００２５】
この電気箱３３は、特許請求の範囲にいう「機器収容箱」に相当する。また、パネル３１は、特許請求の範囲にいう「パネル」に相当する。
この電気箱３３は、電気箱支持フレーム２２に取り付けられている。電気箱支持フレーム２２は、特許請求の範囲にいう「第１支柱」に相当する。
この電気箱支持フレーム２２については後に詳しく説明する。
符号１は、圧縮機である。本実施形態での室外機９０は、２基の圧縮機１を備えるものを想定している（図４参照）。しかしながら、室外機９０は、１基の圧縮機１を備える構成とすることもできる。
【００２６】
圧縮機１は、電気箱３３よりも後方に配置され、ベース部材１２に取り付けられている。なお、圧縮機１は、内側空間５０内の適所に設けた機械室（図示省略）に収納することもできる。この機械室には、室外膨張弁等の他の冷凍サイクル構成機器を収容することもできる。
また、符号４０は、室外熱交換器３の後記する左半体３０ａ（図５参照）と右半体３０ｂ（図５参照）とを連結する連結ピラーである。符号４４は、ケーシングである。
なお、連結ピラー４０は、特許請求の範囲にいう「第２支柱」に相当する。
【００２７】
次に、室外機９０を構成する室外熱交換器３についてさらに詳しく説明する。
図４は、図３のIV−IV断面図である。図４中、室外送風機４は、プロペラファン４１の外径に等しい円で示している。図５は、室外機９０を構成する室外熱交換器３の全体斜視図である。
【００２８】
図４に示すように、室外熱交換器３は、前記のように、室外機９０の前面中央に設けられるパネル３１と協働して内側空間５０を有する略筒状体を形成している。
この室外熱交換器３は、左半体３０ａと右半体３０ｂとが一体に接合されて構成されている。
なお、左半体３０ａと右半体３０ｂとは、特許請求の範囲にいう「半体」に相当する。
左半体３０ａと右半体３０ｂとは、左右の室外送風機４ａ，４ｂに対応するように設けられている。
左半体３０ａと右半体３０ｂとは、左右対称に形成されている。具体的には、左半体３０ａと右半体３０ｂとは、平面視で室外機９０の前後方向に延びる当該室外機９０の中心軸６０を基準に線対称となるように形成されている。
【００２９】
左半体３０ａと右半体３０ｂとは、室外機９０の正面に配置される第１熱交換部３ａと、室外機９０の側面に配置される第２熱交換部３ｂと、室外機９０の背面に配置される第３熱交換部３ｃと、第２熱交換部３ｂに対向するように配置される第４熱交換部３ｄと、を有している。つまり、左半体３０ａと右半体３０ｂのそれぞれは、各室外送風機４ａ，４ｂを中心とする周方向に、第１熱交換部３ａと、第２熱交換部３ｂと、第３熱交換部３ｃと、第４熱交換部３ｄとがこの順番で配置されている。そして、第１熱交換部３ａと第３熱交換部３ｃとが対向し、第２熱交換部３ｂと第４熱交換部３ｄとが対向している。
つまり、室外熱交換器３は、前後左右に、第１熱交換部３ａから第４熱交換部３ｄを有する四面熱交換体となっている。言い換えれば、左半体３０ａと右半体３０ｂのそれぞれは、一端が正面側に配置され、正面、側面、背面へと室外機９０の外周に沿って配置されている。そして、他端は背面側の中央近傍にて室外機９０の外周側から内側に向かって延伸した位置に配置される。
【００３０】
この室外熱交換器３は、左半体３０ａにおける第４熱交換部３ｄと、右半体３０ｂにおける第４熱交換部３ｄとが、連結ピラー４０を介して連結されている。
以下では、第１支柱としての電気箱支持フレーム２２の説明に先立って第２支柱としての連結ピラー４０について説明する。
【００３１】
連結ピラー４０は、左半体３０ａにおける第４熱交換部３ｄと、右半体３０ｂにおける第４熱交換部３ｄとの間に形成される間隙３９の幅を維持しつつ、左半体３０ａと右半体３０ｂとを一体に接続している。
図４中、符号２５ａは、連結ピラー４０の下端部に設けられた取付フランジである。この取付フランジ２５ａは、サイドプレート２５の略Ｌ字の内角側に形成されている。
図５に示すように、この連結ピラー４０は、左半体３０ａにおける第４熱交換部３ｄと、右半体３０ｂにおける第４熱交換部３ｄとの間で上下方向に延在している。
【００３２】
本実施形態での連結ピラー４０は、左半体３０ａ及び右半体３０ｂの第４熱交換部３ｄ同士の間に配置されるセンタピラー２３と、センタピラー２３の左右両側にそれぞれ配置されるサイドプレート２５と、を備えている。これらセンタピラー２３とサイドプレート２５とは一体になっている。
【００３３】
センタピラー２３は、材軸方向に長く横断面視で略Ｕ字状を呈している。センタピラー２３は、略Ｕ字の閉じた側が第４熱交換部３ｄ同士の間に配置され、開いた側が第４熱交換部３ｄの端部から前方に向けて突出している。センタピラー２３は、左半体３０ａにおける第４熱交換部３ｄと、右半体３０ｂにおける第４熱交換部３ｄとの間に形成される間隙３９を塞ぐことで、この間隙３９から直接、外気が室外機９０内に入り込まないようにしている。
【００３４】
サイドプレート２５は、材軸方向に長く横断面視で略Ｌ字状を呈している。このサイドプレート２５は、第４熱交換部３ｄの端部に形成される伝熱管の折返部（図示省略）を覆って保護する機能をも有している。つまり、サイドプレート２５は、略Ｌ字の一辺が第４熱交換部３ｄの端部に対向し、他辺がセンタピラー２３の開いた側に接合されている。
本実施形態での連結ピラー４０は、アルミニウム等の金属材料からなるセンタピラー２３とサイドプレート２５とを溶接等によって接合したものを想定しているが、一軸押出し成形によりセンタピラー２３とサイドプレート２５とを一体成形することもできる。
【００３５】
このような連結ピラー４０は、第４熱交換部３ｄに対して溶接、ボルトによる締結等によって取り付けられる。
また、連結ピラー４０は、上端部に取付片２３ａを有している。この取付片２３ａは、センタピラー２３の閉じられた側で上方に向けて突出する板体で形成されている。
【００３６】
次に、室外機９０の正面側（前側）の構成について更に詳しく説明する。
図５に示すように、左半体３０ａにおける第１熱交換部３ａの端部と、右半体３０ｂにおける第１熱交換部３ａの端部との間には、サービススペース３１ａが確保されている。
このサービススペース３１ａを構成する開口部は、内側空間５０に臨んでいる。
このサービススペース３１ａは、室外熱交換器３の内側空間５０に配置され、制御基板等が収容される電気箱３３、圧縮機１等の各種冷凍サイクル構成機器へのアクセス（例えば、メンテナンス等）を可能にする。
【００３７】
このサービススペース３１ａには、これを塞ぐようにパネル３１（図２参照）が取り付けられる。ちなみに、このパネル３１は、後記する第１支柱としての電気箱支持フレーム２２（図４参照）にボルトＢ１（図４参照）にて締結されている。パネル３１は、このボルトＢ１による締結を解くことによって、室外機９０の正面から取り外しが可能となっている。
【００３８】
図５中、符号３８は、第１熱交換部３ａの端部に接続される上下方向に長いサイドプレートである。このサイドプレート３８は、第１熱交換部３ａの端部に形成される伝熱管の折返部（図示省略）を覆っている。また、サイドプレート３８の下端部は、ベース部材１２（図４参照）に固定され、サイドプレート３８の上端部は、天板１３（図３参照）に固定されている。
【００３９】
再び図４に戻って、左半体３０ａ及び右半体３０ｂにおける第１熱交換部３ａの各端部は、プロペラファン４１ａ，４１ｂの回転中心Ａｘよりも、左右方向外側寄りに配置されている。
また、左半体３０ａ及び右半体３０ｂにおける第４熱交換部３ｄは、室外機９０の背面側から正面側に向かって延びた先端部が、プロペラファン４１ａ，４１ｂの回転半径よりも外側に配置されている。
【００４０】
次に、電気箱支持フレーム２２（支柱）について説明する。
図３に示すように、電気箱支持フレーム２２は、前記のように天板１３寄りでパネル３１に沿うように配置される電気箱３３を支持する上下方向に長い部材で形成されている。
また、電気箱支持フレーム２２は、図４に示すように、内側空間５０に一対設けられ、電気箱３３を左右両側から挟むように配置されている。
この一対の電気箱支持フレーム２２は、上面視での室外機９０の左右中心軸６０を基準に線対称となるように形成されている。
【００４１】
本実施形態での電気箱支持フレーム２２は、板部材を長手方向に沿って屈曲させて形成した柱状構造体であり、断面視で一方に閉じ他方に開いた形状になっている。具体的には、横断面視で略Ｕ字状を呈している。
本実施形態での電気箱支持フレーム２２は、断面視で、開いた側が電気箱３３の側面に接続され、閉じた側が第１熱交換部３ａの端部に近接して配置されている。
なお、電気箱支持フレーム２２は、管状体のような閉じた断面形状を有するものとすることもできる。
【００４２】
図４中、符号１２は、ベース部材であり、符号３８は、第１熱交換部３ａの端部に設けられたサイドプレートであり、符号Ｂは、パネル３１を電気箱支持フレーム２２に締結するボルトである。符号２２ｃは、電気箱支持フレーム２２の下端部に設けられた取付フランジである。
【００４３】
このような第１支柱としての電気箱支持フレーム２２は、図３に示すように、ブラケット２２ｂ及び取付リブ２２ａ、並びに取付フランジ２２ｃを介して天板１３及びベース部材１２に固定されている。
本実施形態での電気箱支持フレーム２２は、ベース部材１２に下端部が接合され、上端部で天板１３を介して室外送風機４を支持している。
【００４４】
次に、第２支柱としての連結ピラーの取り付けについて説明する。
図６（ａ）は、連結ピラー４０の上端部の部分斜視図であり、図６（ｂ）は、連結ピラー４０の下端部の部分斜視図である。
【００４５】
図６（ａ）に示すように、連結ピラー４０のセンタピラー２３の上端部には、前記の取付片２３ａが形成されている。
図６（ａ）中、符号１３ａは、天板１３に設けられた連結ピラー４０の取付孔である。
この取付孔１３ａは、内側空間５０とベルマウス４３の内側とを連通させるように天板１３に設けた貫通孔である。
【００４６】
本実施形態での連結ピラー４０の取付片２３ａは、取付孔１３ａの内周面にボルトＢ４にて締結されている。なお、図６（ａ）中、符号３ｄは、第４熱交換部であり、天板１３に当接する第４熱交換部の上端面を隠れ線（点線）で示している。
【００４７】
図６（ｂ）に示すように、連結ピラー４０のサイドプレート２５の下端部には、前記の取付フランジ２５ａが形成されている。
本実施形態での連結ピラー４０の取付フランジ２５ａは、ベース部材１２にボルトＢ５にて締結されている。
【００４８】
電気箱支持フレーム２２は、ベース部材１２に下端部が接合され、上端部で天板１３を介して室外送風機４を支持している。
なお、図６（ｂ）中、符号３ｄは、第４熱交換部である。
【００４９】
次に、以上の室外機９０を備える空気調和機１００が奏する作用効果について説明する。
本実施形態の室外機９０は、室外送風機４が駆動することで内側空間５０の空気が上方に向けて吹き出される。これにより室外熱交換器３を介して外気が内側空間５０に取り込まれる。室外熱交換器３の冷媒は、外気と熱交換する。
【００５０】
このような室外機９０においては、室外熱交換器３の上方で室外送風機４を支持する必要がある。したがって、従来の室外機（例えば、特許文献１参照）では、室外熱交換器の外側に設けた４つの支柱で室外送風機４を支持している。そして、従来の室外機では、重量構造物である送風機の支持するための構造強度を確保するために、４つの支柱を太くする必要がある。
しかしながら、支柱を太くすると、室外熱交換器に外気を通過させる際の通風抵抗が増大する。この通風抵抗の増大は、室外機の省エネルギ性能を阻害する。
【００５１】
これに対して、本実施形態の室外機９０では、室外熱交換器３の内側空間５０内に設けた第１支柱としての、一対の電気箱支持フレーム２２と、第２支柱としての連結ピラー４０とによって、室外送風機４をベース部材１２上で３点支持する構成となっている。
つまり、これら電気箱支持フレーム２２及び連結ピラー４０は、内側空間５０内に配置されているので、従来の室外機（例えば、特許文献１参照）と比較して、室外熱交換器に外気を通過させる際の通風抵抗を低減することができる。
しかも、本実施形態の室外機９０は、電気箱支持フレーム２２を第１熱交換部３ａの端部に近接した位置に有し、連結ピラー４０を第４熱交換部３ｄの端部に近接した位置に有している（図４参照）。したがって、電気箱支持フレーム２２及び連結ピラー４０を太くしたとしても、通風抵抗が低く抑えられるので、従来の室外機（例えば、特許文献１参照）よりも省エネルギ性能に優れる。
【００５２】
また、本実施形態の室外機９０によれば、電気箱支持フレーム２２及び連結ピラー４０を太くすることによって、室外送風機４を支持するための構造強度を確保することができるので、４つの支持フレーム１１（図４参照）を細くするか、あるいは４つの支持フレーム１１の全部又は一部を省略することもできる。これにより室外機９０は、通風抵抗がさらに低減されて省エネルギ性能がさらに向上することとなる。
【００５３】
以上、本実施形態について説明したが、本発明は前記実施形態に限定されず、種々の形態で実施することができる。
前記実施形態では、４本の支持フレーム１１を有しているが、本発明では支持フレーム１１を省略することもできる。
また、前記実施形態では、連結ピラー４０の上端は、天板１３に形成された取付孔１３ａに取付片２３ａを介して固定されているが、本発明は天板１３に取付孔１３ａを形成することなく、天板１３の下面に連結ピラー４０の上端を取り付ける構成とすることもできる。
【符号の説明】
【００５４】
１      圧縮機
２      四方弁
３      室外熱交換器
３ａ    第１熱交換部
３ｂ    第２熱交換部
３ｃ    第３熱交換部
３ｄ    第４熱交換部
４      室外送風機
４ａ    室外送風機
４ｂ    室外送風機
５      アキュムレータ
６      室外膨張弁
７      室内熱交換器
８      室内膨張弁
１１    支持フレーム
１２    ベース部材
１３    天板
１５    配管接続口
２２    電気箱支持フレーム（第１支柱）
２３  センタピラー
３０ａ  左半体
３０ｂ  右半体
３１    パネル
３１ａ  サービススペース
３３    電気箱（機器収容箱）
３８    サイドプレート
３９    間隙
４０    連結ピラー（第２支柱）
４１    プロペラファン
４１ａ  プロペラファン
４１ｂ  プロペラファン
４３    ベルマウス
５０    内側空間
６０    中心軸
９０    室外機
９１    室内機
１００  空気調和機
【図１】
2016180544.tif 000003
【図２】
2016180544.tif 000004
【図３】
2016180544.tif 000005
【図４】
2016180544.tif 000006
【図５】
2016180544.tif 000007
【図６】
2016180544.tif 000008